(57)【特許請求の範囲】
【請求項１】
被加工材を上部に載置可能なベース部と、
第１の軸周りに回転可能に前記ベース部に設けられるテーブル部と、
前記第１の軸に略直交する第２の軸周りに回転可能に前記テーブル部に設けられ前記テーブル部の上方で上下に揺動する揺動部と、
回転子と固定子とを備え、前記回転子は出力軸を有し、前記回転子と前記固定子のいずれか一方は前記出力軸の軸方向視において前記出力軸を中心に円周方向に配列した略環状の複数のコイルが設けられた円板状のコイルディスクを有し、前記回転子と前記固定子のいずれか他方は前記コイルディスクを前記出力軸の軸方向に通過する磁束を発生させる磁束発生手段を有する、扁平モータと、該扁平モータの出力軸の軸方向と前記第２の軸の軸方向それぞれと略平行になるように軸方向が配置される回転刃回転軸に取付け可能な回転刃と、該扁平モータの動力を回転刃に伝達する動力伝達部と、を有し、前記揺動部に設けられる切断部と、を備える、
ことを特徴とする卓上切断機。
【請求項２】
前記テーブル部と前記揺動部との間には、前記第１の軸および前記第２の軸それぞれと略直交する第３の軸周りに回転可能に前記テーブル部に取付けられるとともに前記第２の軸回りに回転可能に前記揺動部を支持する傾動部が設けられる、
ことを特徴とする請求項１に記載の卓上切断機。
【請求項３】
前記傾動部と前記揺動部との間には、前記第３の軸の軸方向と略平行に移動可能に、前記揺動部を前記傾動部に支持するスライド支持部が設けられる、
ことを特徴とする請求項２に記載の卓上切断機。
【請求項４】
前記扁平モータは、
前記コイルディスクを有する前記回転子と、
前記出力軸を回転可能に支持し、前記磁束発生手段を前記コイルディスクの円板面に対向するように設けた、前記固定子としてのハウジングと、から構成され、
前記磁束発生手段はマグネットを備える、
ことを特徴とする請求項１乃至３のいずれか１項に記載の卓上切断機。
【請求項５】
前記動力伝達部は、前記扁平モータの前記出力軸に設けられる第１ギヤと、前記回転刃の前記回転刃回転軸に固定される回転刃ギヤと、前記切断部に回転可能に支持される中間軸に固定され前記第１ギヤと前記回転刃ギヤとの間に設けられる中間ギヤと、を備え、
前記回転刃回転軸の軸方向視において、前記揺動部が前記テーブル部に前記切断部を近づける方向に最も揺動した状態において、前記扁平モータの外縁および前記中間ギヤの外縁が、前記回転刃回転軸よりも前記第１の軸方向に前記テーブル部より遠くなるよう、前記扁平モータと前記中間ギヤが配置される、
ことを特徴とする請求項１乃至４のいずれか１項に記載の卓上切断機。
【請求項６】
前記中間軸は、前記中間軸の軸方向に延びる一組の略平行な平坦面を有し、
前記切断部は、前記一組の平坦面に係合可能な係合部を有し、前記係合部が前記平坦面に係合して前記中間軸の回転をロックするロック位置と前記傾合を解除して前記ロックを解除するロック解除位置との間を往復動可能に設けられるロック部材を有する、
ことを特徴とする請求項５に記載の卓上切断機。
【請求項７】
前記ロック部材は、前記中間軸の軸方向と略直角方向に往復動可能に設けられる、
ことを特徴とする請求項６に記載の卓上切断機。
【請求項８】
被加工材を上部に載置可能なベース部と、
第１の軸周りに回転可能に前記ベース部に設けられるテーブル部と、
前記第１の軸に略直交する第２の軸周りに回転可能に前記テーブル部に設けられ前記テーブル部の上方で上下に揺動する揺動部と、
回転子と固定子とを備え、前記回転子は出力軸を有し、前記回転子と前記固定子のいずれか一方は複数のコイルが設けられた円板状のコイルディスクを有し、前記回転子と前記固定子のいずれか他方は前記コイルディスクを前記出力軸の軸方向に通過する磁束を発生させる磁束発生手段を有する、扁平モータと、該扁平モータの出力軸の軸方向と前記第２の軸の軸方向それぞれと略平行になるように軸方向が配置される回転刃回転軸に取付け可能な回転刃と、該扁平モータの動力を回転刃に伝達する動力伝達部と、を有し、前記揺動部に設けられる切断部と、を備える、
ことを特徴とする卓上切断機。
【発明の詳細な説明】
【技術分野】
【０００１】
本発明は、卓上丸鋸等の卓上切断機に関し、特に扁平モータを備える卓上切断機に関する。
【背景技術】
【０００２】
特許文献１に示すように、卓上切断機はベース部に回動可能に取付けられたターンテーブルと、ターンテーブルに傾動可能に取付けられた丸鋸刃を有する切断部を備えた卓上切断機が知られている（特許文献１）。このような卓上切断機では、ベース部に対してターンテーブルを回動させることで被切断部材の角度切断が可能となり、ターンテーブルに対して切断部を傾斜させることで被切断部材の傾斜切断が可能となる。そして、丸鋸刃は、出力軸の軸方向に円柱状に延びる鉄心にコイルを巻いた回転子と回転子を覆う円筒状の固定子とから構成され、出力軸が丸鋸刃の回転軸と略平行に配置されたモータにより駆動される。
【先行技術文献】
【特許文献】
【０００３】
【特許文献１】特開２００６−３２７０８８号公報
【発明の概要】
【発明が解決しようとする課題】
【０００４】
ところで、上述のようなモータを用いた卓上切断機では、回転子および固定子がモータ出力軸の軸方向に長く、モータの出力軸の軸方向寸法も長くなる。そして、傾斜切断を丸鋸刃の回転軸の軸方向のいずれの方向にも行うために、傾斜時にモータがターンテーブル等に接触しないよう、ベルトとプーリとからなる動力伝達機構を切断部のモータと丸鋸刃の間に設けてモータの取付け位置を丸鋸刃およびターンテーブルから離している。しかし、切断部に上述のモータや動力伝達機構があるため、切断部のモータ出力軸の軸方向の寸法が大きく、作業中の作業者の視界が切断部によって妨げられるという課題がある。
【０００５】
本発明は、上記課題に鑑みてなされたものであり、モータの出力軸の軸方向の寸法を抑え、作業者の視界を広く確保することができる卓上切断機を提供することを目的とする。
【課題を解決するための手段】
【０００６】
上記目的を達成するために、本発明の第１の観点に係る卓上切断機は、被加工材を上部に載置可能なベース部と、第１の軸周りに回転可能に前記ベース部に設けられるテーブル部と、前記第１の軸に略直交する第２の軸周りに回転可能に前記テーブル部に設けられ前記テーブル部の上方で上下に揺動する揺動部と、回転子と固定子とを備え、前記回転子は出力軸を有し、前記回転子と前記固定子のいずれか一方は前記出力軸の軸方向視において前記出力軸を中心に円周方向に配列した略環状の複数のコイルが設けられた円板状のコイルディスクを有し、前記回転子と前記固定子のいずれか他方は前記コイルディスクを前記出力軸の軸方向に通過する磁束を発生させる磁束発生手段を有する、扁平モータと、該扁平モータの出力軸の軸方向と前記第２の軸の軸方向それぞれと略平行になるように軸方向が配置される回転刃回転軸に取付け可能な回転刃と、該扁平モータの動力を回転刃に伝達する動力伝達部と、を有し、前記揺動部に設けられる切断部と、を備える、ことを特徴とする。
【０００７】
また、前記テーブル部と前記揺動部との間には、前記第１の軸および前記第２の軸それぞれと略直交する第３の軸周りに回転可能に前記テーブル部に取付けられるとともに前記第２の軸回りに回転可能に前記揺動部を支持する傾動部が設けられる、ことが好ましい。
【０００８】
また、前記傾動部と前記揺動部との間には、前記第３の軸の軸方向と略平行に移動可能に、前記揺動部を前記傾動部に支持するスライド支持部が設けられてもよい。
【０００９】
さらに、前記扁平モータは、前記コイルディスクを有する前記回転子と、前記出力軸を回転可能に支持し、前記磁束発生手段を前記コイルディスクの円板面に対向するように設けた、前記固定子としてのハウジングと、から構成され、前記磁束発生手段はマグネットを備えてもよい。
【００１０】
また、前記動力伝達部は、前記扁平モータの前記出力軸に設けられる第１ギヤと、前記回転刃の前記回転刃回転軸に固定される回転刃ギヤと、前記切断部に回転可能に支持される中間軸に固定され前記第１ギヤと前記回転刃ギヤとの間に設けられる中間ギヤと、を備え、前記回転刃回転軸の軸方向視において、前記揺動部が前記テーブル部に前記切断部を近づける方向に最も揺動した状態において、前記扁平モータの外縁および前記中間ギヤの外縁が、前記回転刃回転軸よりも前記第１の軸方向に前記テーブル部より遠くなるよう、前記扁平モータと前記中間ギヤが配置される、ことが好ましい。
【００１１】
さらに、前記中間軸は、前記中間軸の軸方向に延びる一組の略平行な平坦面を有し、前記切断部は、前記一組の平坦面に係合可能な係合部を有し、前記係合部が前記平坦面に係合して前記中間軸の回転をロックするロック位置と前記傾合を解除して前記ロックを解除するロック解除位置との間を往復動可能に設けられるロック部材を有してもよい。
【００１２】
また、前記ロック部材は、前記中間軸の軸方向と略直角方向に往復動可能に設けられてもよい。
本発明の第２の観点に係る卓上切断機は、被加工材を上部に載置可能なベース部と、第１の軸周りに回転可能に前記ベース部に設けられるテーブル部と、前記第１の軸に略直交する第２の軸周りに回転可能に前記テーブル部に設けられ前記テーブル部の上方で上下に揺動する揺動部と、回転子と固定子とを備え、前記回転子は出力軸を有し、前記回転子と前記固定子のいずれか一方は複数のコイルが設けられた円板状のコイルディスクを有し、前記回転子と前記固定子のいずれか他方は前記コイルディスクを前記出力軸の軸方向に通過する磁束を発生させる磁束発生手段を有する、扁平モータと、該扁平モータの出力軸の軸方向と前記第２の軸の軸方向それぞれと略平行になるように軸方向が配置される回転刃回転軸に取付け可能な回転刃と、該扁平モータの動力を回転刃に伝達する動力伝達部と、を有し、前記揺動部に設けられる切断部と、を備える、ことを特徴とする。
【発明の効果】
【００１３】
本発明によれば、扁平モータを用いることで、切断部のモータの出力軸の軸方向の寸法を抑えることが可能となり、作業者の視界を広く確保することができる。
【図面の簡単な説明】
【００１４】
【図１】本発明の実施形態に係る卓上丸鋸の側面図である。
【図２】図１の卓上丸鋸の正面図である。
【図３】図１とは反対側から見た図１の卓上丸鋸の切断部を拡大した側面図である。
【図４】図３のＩＶ−ＩＶ線断面図である。
【図５】中間軸とロック部材の取り付け部分を示す要部拡大図である。
【図６】図３のＶＩ−ＶＩ線断面図である。
【図７】ロック部材が移動した状態における中間軸とロック部材の取り付け部分を示す要部拡大図である。
【図８】図１の卓上丸鋸の回転子の分解断面図である。
【図９】図８の回転子のコイル・コミュテータディスクの上面図である。
【図１０】図８の回転子のコイルディスク部の上面図である。
【図１１】図１の卓上丸鋸の切断部が最も下げられた上体を示す側面図である。
【図１２】図１１の状態における、切断部の断面図である。
【図１３】図１の卓上丸鋸の切断部を傾動させた状態における、切断部の断面図である。
【図１４】図１の卓上丸鋸の切断部を、図１３とは反対側に傾動させた状態における、切断部の断面図である。
【図１５】図１の回転子の変形例を示す側面図である。
【発明を実施するための形態】
【００１５】
以下、本発明の実施形態を添付図面に沿って説明する。図１及び図２に示すように、卓上丸鋸（卓上切断機）１は、床面に設置されて上面に木材等の被加工部材２を担持するベース部３を備える。ベース部３には、図１中の上下方向に延びるテーブル回転軸（第１の軸）４が設けられる。そして、テーブル回転軸４を中心に回転可能にターンテーブル（テーブル部）５がベース部３に取付けられる。また、ベース部３には、被加工部材２を固定するためのクランプ３８、１３８が設けられる。ターンテーブル５の図１中の右端近傍にはターンテーブル５を回転させる際に作業者が把持するハンドル３０が設けられる。また、ターンテーブル５の図１中の左端近傍には、テーブル回転軸４と略直角に設けられ図１中で左右方向に延びる傾動軸６（第３の軸）が設けられる。そして、傾動軸６を中心に図２に矢印Ａで示すように左右に傾動可能に、傾動軸６から図１、２中において上方（第１の軸の軸方向にベース部３からターンテーブル５に向かう方向）に延びるように傾動部７がターンテーブル５に取付けられる。傾動部７の傾動軸６から離れた端部の近傍には、傾動軸６と略平行に設けられ図１中で左右方向に延びるスライド軸８が設けられる。そして、矢印Ｂで示すように図１中で左右にスライド可能にスライド軸８に固定されたスライド部９を支持する支持部１０が傾動部７に取付けられる。スライド軸８、スライド部９、支持部１０はスライド支持部１１を構成する。スライド部９には、スライド軸８と略直角に設けられ図２中で左右方向に延びる揺動軸（第２の軸）１２が設けられ、揺動軸１２を中心に図１に矢印Ｃで示すようにスライド部９に対して揺動可能に揺動部１３が設けられる。なお、揺動部１３はスライド部９に対して所定の角度に位置すると当接する当接部を備え、相対的に揺動可能な角度領域が規定される。そして、揺動部１３には、被加工部材２を切断するための丸鋸刃１４（回転刃）と、丸鋸刃１４を駆動するための扁平モータ１５と、扁平モータ１５の動力を丸鋸刃１４に伝達する動力伝達部１８と、を有する切断部１９が取付けられる。なお、図２に示すように、丸鋸刃１４は回転面が揺動軸１２に対して略垂直になるよう取付けられる。切断部１９には、切断部１９をターンテーブル５に向けて揺動させる際に把持するハンドル３２が設けられ、ハンドル３２には、扁平モータ１５の回転、停止を制御するためのトリガスイッチ３４が設けられる。また、丸鋸刃１４は、切断部１９に固定される鋸刃カバー３６により鋸刃が形成された外周縁の略半分が覆われる。なお、クランプ３８、１３８は、図２に示すように、ターンテーブル５のテーブル回転軸４を挟んで略対称、または、傾動部７が傾いていない状態 (傾動部７がテーブル回転軸４と略平行な状態）における丸鋸刃１４を挟んで略対称にベース部３に設けられている。
【００１６】
図３に示すように、切断部１９には扁平モータ１５が丸鋸刃１４の鋸刃回転軸（回転刃回転軸）２０に対してオフセットされて配置される。そして、扁平モータ１５と丸鋸刃１４との間には動力伝達部１８が介在する。
【００１７】
図４に示すように、切断部１９に取付けられる扁平モータ１５は、第１ハウジング部４０と第２ハウジング部４１とをネジ４２で締結して組立てられるハウジング４３を有する。ハウジング４３の内部には、第１ハウジング部４０に取付けられた第１ベアリング４５と第２ハウジング部４１に取付けられた第２ベアリング４６とにより第２ハウジング部４１から突出する出力軸４４が回転可能に支持される。出力軸４４の第２ハウジング部４１から突出した端部近傍には歯切り加工が施されて平歯車状のピニオンギヤ（第１のギヤ）４７が形成される。出力軸４４には、第１ベアリング４５と第２ベアリング４６との間でフランジ４８を介して表面に複数のコイルパターンが形成された複数の円板を積層して構成された略円板状のコイルディスク４９が固定される。そして、出力軸４４とフランジ４８とコイルディスク４９とは一体に回転する扁平モータ１５の回転子を構成する。
【００１８】
ハウジング４３の内部には、コイルディスク４９のコイルを磁束が出力軸４４の軸５０方向に通過するように、コイルディスク４９の図４中の左方の円板面５１に対向し円周方向に離間して配置される複数の永久磁石または電磁石等の磁石（マグネット）５２と環状の鉄ヨーク５３が第２ハウジング部４１に取付けられる。また、ハウジング４３の第１ハウジング部４０には、コイルディスク４９を挟んでコイルディスク４９の図４中の右方の円板面５４に対向し、出力軸４４の軸５０方向視において鉄ヨーク５３に対応する位置には環状の鉄ヨーク５５が取付けられる。これらの磁石５２、鉄ヨーク５３、５５は磁束発生手段を構成するが、磁束発生手段はコイルディスク４９のコイルを磁束が出力軸４４の軸５０方向に通過するものであれば、この構成に限られるものでは無く、例えば、複数の永久磁石、電磁石、またはコイルのみ等から構成されるものであってもよい。さらに、ハウジング４２の第１ハウジング部４０には、コイルディスク４９の右方の円板面５４に接触し、コイルディスク４９のコイルに給電するためのブラシ５６が取付けられる。これらの磁石５２、鉄ヨーク５３、５５が設けられたハウジング４３は扁平モータ１５の固定子を構成する。そして、扁平モータ１５は、回転子としての出力軸４４および出力軸４４に固定されたコイルディスク４９及びフランジ４８と、固定子としての磁石５２および鉄ヨーク５３、５５と、ブラシ５６とから、扁平の直流整流子モータとして構成される。
【００１９】
図４に示すように、扁平モータ１５の出力軸４４のピニオンギヤ４７には、中間ギヤ５７が噛み合う。中間ギヤ５７は中間軸５８に固定され、中間軸５８は一方の端部で動力伝達部１８の第１ケース１８１に取付けられた第３ベアリング５９により回転可能に支持される。また、中間ギヤ５７は、丸鋸刃１４が取付けられる鋸刃回転軸２０に固定されたファイナルギヤ（回転刃ギヤ）１００と噛み合う。鋸刃回転軸２０は、動力伝達部１８の第１ケース１８１に取付けられた第４ベアリング１０２と動力伝達部１８の第２ケース１８２に取付けられた第５ベアリング１０４とにより回転可能に支持される。また、丸鋸刃１４は、着脱機構１０６により鋸刃回転軸２０と一体に回転するとともに鋸刃回転軸２０に対して着脱可能に取付けられる。なお、図４に示すように、扁平モータ１５の出力軸４４、中間ギヤ５７の中間軸５８、ファイナルギヤ１００の鋸刃回転軸２０は、それぞれ略平行になるように配置される。また、出力軸４４、中間軸５８、鋸刃回転軸２０は、揺動軸１２とも略平行に配置される。そして、揺動部１３がターンテーブル５に切断部１９を近づける方向に最も揺動して当接部に当接した状態（図１１に示した状態）において、扁平モータ１５のハウジング４３の外縁および中間ギヤ５７の外縁が、鋸刃回転軸２０よりも上方（ターンテーブル５から離れる方向）に扁平モータ１５と中間ギヤ５７が配置されることが好ましく、例えば、出力軸４４、中間軸５８、鋸刃回転軸２０は、図３に示すように略軸線１５０上に位置するように配置してもよい。
【００２０】
さらに、中間軸５８の第３ベアリング５９に支持された側と反対側の端部には、中間軸５８の軸方向に延びる一組の略平行な平坦面１１０、１１０が形成される。そして、第１ケース１８１には、中間軸５８の一組の平坦面１１０、１１０に係合して中間軸５８の回転をロック可能な板状のロック部材１１２が中間軸５８の軸方向と略直角方向に往復動可能に設けられる。図５に示すように、ロック部材１１２には、中間軸５８の一組の平坦面１１０、１１０の距離より僅かに大きい距離離間して略平行に設けられて一組の平坦面１１０、１１０と係合可能な一組の係合部１１４、１１４と、平坦面１１０が形成された中間軸５８の最大幅より大きい内径を有する円弧状の拡径部１１６とを有する。そして、図６に示すように、ロック部材１１２は第２ケース１８２にバネ１１８により拡径部１１６内に中間軸５８が位置する方向に付勢されて取付けられる。端部の折曲部１２０を矢印Ｄの方向に押し下げた場合には、係合部１１４が中間軸５８の方向に移動する。そして、図７に示すように、係合部１１４と平坦面１１０が略平行に位置する場合には平坦面１１０係合する位置まで係合部１１４が移動し、中間軸５８の回動をロックする。
【００２１】
なお、扁平モータ１５の回転子６０は、図８に示すように、出力軸４４、フランジ５６と、図８中で上からコイル・コミュテータディスク６２と４つのコイルディスク部６３の順に積層されたコイルディスク４９と、から構成される。コイル・コミュテータディスク６２とコイルディスク部６３とは、絶縁体基板と導体パターンとから構成されたプリント配線板である。コイル・コミュテータディスク６２の上面には、コミュテータ（整流子）の導体パターンが形成されたコミュテータ領域８０と、コイルの導体パターンが形成されたコイル領域９０ａと、が設けられている。コミュテータ領域８０とコイル領域９０ａとは、出力軸４４の軸線５０方向視において、それぞれ軸線５０を中心とする円環状に設けられ、コミュテータ領域８０の外周側にコイル領域９０ａが配置される。また、コイル・コミュテータディスク６２の下面には、コイルの導体パターンを形成するためのコイル領域９０ｂが設けられている。コイル領域９０ｂは、軸線５０を中心とする円環状に設けられ、軸線５０方向視においてコイル領域９０ａと重なり合うように配置される。
【００２２】
図９に示すように、コイル・コミュテータディスク６２上面のコミュテータ領域８０には、導体パターンにより、ブラシ５６と接触するコミュテータ８１が形成される。コミュテータ８１は、軸線５０を中心として放射状に形成された複数のコミュテータ片８２から構成される。なお、各コミュテータ片８２の外側端部には、コイル・コミュテータディスク６２を貫通するスルーホール８３ａが形成される。
【００２３】
また、コイル・コミュテータディスク６２上面のコイル領域９０ａには、導体パターンにより、軸線５０を中心として放射状に形成された複数のコイル片９２ａが形成され
る。各コイル片９２ａの内側端部は、対応するコミュテータ片８２に直接に接続されて形成される。また、各コイル片９２ａの外側端部は、軸線５０回りの所定方向に曲折して形成される。なお、各コイル片９２ａの外側端部には、コイル・コミュテータディスク６２を貫通する複数のスルーホール９３ａが形成される。
【００２４】
コイル・コミュテータディスク６２下面のコイル領域９０ｂには、図１０に示されたコイル領域９０ａと略同様の導体パターンにより、軸線５０を中心として放射状に形成された図略の複数のコイル片が形成される。図略の各コイル片の外側端部は、スルーホール９３ａに充填された半田を介して、コイル領域９０ａの対応するコイル片９２ａに接続される。また、図略の各コイル片の内側端部は、スルーホール８３ａに充填された半田を介して、コミュテータ領域８０の対応するコミュテータ片８２に接続される。これにより、コイル領域９０ａの複数のコイル片９２ａとコイル領域９０ｂの図略の複数のコイル片とは、軸線５０方向視において略コ字状に形成された複数のコイル９１ａを構成している。複数のコイル９１ａは、軸線５０を中心として周方向に配列される。また、各コイル９１ａの端末は、コミュテータ領域８０の対応するコミュテータ片８２に接続される。
【００２５】
図８に示すように、コイルディスク部６３の上面及び下面には、コイルの導体パターンが形成されたコイル領域９０ｃ，９０ｄが、それぞれ設けられている。コイル領域９０ｃ，９０ｄは、それぞれ軸線５０を中心とする円環状に設けられ、軸線５０方向視においてコイル・コミュテータディスク６２のコイル領域９０ａ，９０ｂと重なり合うように配置される。
【００２６】
コイルディスク部６３のコイル領域９０ｃ，９０ｄには、コイル・コミュテータディスク６２のコイル領域９０ａ，９０ｂと略同様の導体パターンが形成される。コイルディスク部６３上面のコイル領域９０ｃには、図１０に示すように、軸線５０を中心として放射状に形成された複数のコイル片９２ｃが形成される。また、コイルディスク部６３下面のコイル領域９０ｄには、コイル領域９０ｃと略同様の導体パターンにより、図略の複数のコイル片が形成される。コイル領域９０ｃの複数のコイル片９２ｃとコイル領域９０ｄの図略の複数のコイル片とは、コイルディスク６２を貫通するスルーホール８３ｃ，９３ｃに充填された半田を介してそれぞれ接続され、軸線５０方向視において略コ字状に形成された複数のコイル９１ｃを構成している。複数のコイル９１ｃは軸線５０を中心として周方向に配列される。また、各コイル９１ｃの端末は、コイル・コミュテータディスク６２のスルーホール８３ａに充填された半田を介して、コミュテータ領域８０の対応するコミュテータ片８２に接続される。
【００２７】
なお、コイル・コミュテータディスク６２のコミュテータ領域８０及びコイル領域９０ａの導体パターンは、同一のプリント配線上に形成される。また、コイル・コミュテータディスク６２のコミュテータ領域８０及びコイル領域９０ａの導体パターンは、ブラシ５６との摩耗による損傷を防止するため、コイル領域９０ｂ及びコイルディスク部６３のコイル領域９０ｃ，９０ｄよりも、厚く形成される。
【００２８】
上述のコイル・コミュテータディスク６２とコイルディスク部６３、及び複数のコイルディスク部６３の間には、図略の絶縁層を介して、例えば、コイル９１ａ，９１ｃが軸線５０方向視において重なり合うように、あるいはコイル９１ａ，９１ｃが軸線５０回りに所定の角度を有して配列されるように、積層される。
【００２９】
このように構成された卓上丸鋸１によれば、ハンドル３２のトリガスイッチ３４がＯＮにされると、ブラシ５６に所定の電圧が印加される。ブラシ５６に印加された電圧は、コミュテータ８１を介して、コイルディスク４９に形成されたコイル９１ａ，９１ｃに印加される。電圧が印加されたコイル９１ａ，９１ｃには出力軸４４の軸線５０方向と垂直にコイルディスク４９の略半径方向に、流れる方向がコミュテータ８１により制御されて電流が流れる。一方、磁石５２が発生する磁束は電流と直交するコイルディスク４９を出力軸６の軸線５０方向に通過する。このため、コイルディスク４９には、軸線５０を中心にコイルディスク４９の周方向にトルクが発生し、コイルディスク４９とともに出力軸４４が回転する。そして、出力軸４４の回転は、出力軸４４のピニオンギヤ４７から動力伝達部１８内の中間ギヤ５７に伝わり、ファイナルギヤ１００を経由して丸鋸刃１４に伝達され、丸鋸刃１４が回転する。
【００３０】
そして、被加工部材２を切断する場合には、ターンテーブル５を所望の位置に調節し、図１１、図１２に示すようにハンドル３２により切断部１９を押し下げて切断作業を行う。また、被加工部材２に対して傾斜切断を行う場合には、図１３、図１４に示すように、傾動部７を傾動軸６回りに傾動させた状態で、ハンドル３２により切断部１９を押し下げて切断作業を行う。この場合、コイルディスク４９の円板内にコイルが形成された扁平モータ１５を用いることにより、所謂コアに巻回されたコイルを有するモータと比較して、扁平モータ１５の出力軸４４の軸５０方向の寸法を大幅に抑制することが可能となり、切断作業中の作業者の視界を広く確保することが可能となる。また、上記構成の扁平モータ１５は、円板内にプリント配線板によりコイルが形成されていることから、所謂コアに巻回されたコイルを有するモータと比較して、コイルディスク４９の軽量化が図れるためトリガスイッチ３４がＯＮにされた際の起動が早いという利点も有する。また、扁平モータ１５により切断部１９の軸５０方向の寸法を大幅に抑制することで、図１４に示すように、扁平モータ１５が取付けられた側に切断部１９を傾動させる場合でも、扁平モータ１５や動力伝達部１８等が被加工部材２に接触することが抑えられ、傾動角度を大きくすることが可能となるうえ、扁平モータ１５側に配置されるクランプ１３８を丸鋸刃１４側に近づけることが可能となり、ターンテーブル５を挟んでクランプ３８、１３８を略対称に設けることができる。このため、クランプ３８、１３８の間隔を小さくすることが可能となるので、小さい被加工部材２に対してもクランプ３８、１３８を利用して固定することが可能となり、作業性を大幅に向上させることができる。
【００３１】
また、図１２に示すように、扁平モータ１５と丸鋸刃１４の間には、中間ギヤ５７を有する動力伝達部１８が介在し、扁平モータ１５のハウジング４３の外縁および中間ギヤ５７の外縁が、鋸刃回転軸２０よりも上方になるように扁平モータ１５と中間ギヤ５７が配置されるので、扁平モータ１５を用いた場合であっても、切り込み時に扁平モータ１５が被加工部材２に接触することを抑えることができ、扁平モータ１５と中間ギヤ５７が丸鋸刃１４の切り込み深さに影響を与えることが無い。
【００３２】
さらに、中間軸５８の回転をロックする中間軸５８の一組の平坦面１１０、１１０とロック部材１１２が設けられているので、中間軸５８の回転のロックを行えば容易に鋸刃回転軸２０の回転をロックすることが可能となり、鋸刃１４の交換を容易に行うことができる。さらに、回転伝達の機能以外が設けられていない中間軸５８の回転をロックさせるので、扁平モータ１５の出力軸４４や丸鋸刃１４が取付けられる鋸刃回転軸２０にスピンドルロック機構を設ける場合に比べて、スピンドルロック機構を設けるために出力軸４４や鋸刃回転軸２０を軸方向に長くする必要がなくなる。このため、出力軸４４の軸方向に関する切断部１９の長さを抑えることが可能となり、図１４に示すように扁平モータ１５が取付けられた側に切断部１９を傾動させる場合でも傾動角度を大きく取ることが可能になるうえ、視界も広く確保することが可能となる。また、ロック部材１１２は中間軸５５の軸方向と直角方向に移動するため、ロック部材１１２の移動方向を確保するために中間軸５５の軸方向に必要なスペースが僅かですみ、切断部の出力軸の軸方向長さをより抑えることが可能となり、傾動角度をより大きく取ることが可能になるうえ、視界もより広く確保することが可能となる。
【００３３】
なお、上述の実施形態では、卓上丸鋸１は切断部１９を傾動軸６回りに傾動させる傾動部７と、切断部をスランド軸８方向にスライドさせるスライド部９を有しているが、必ずしも傾動部６、スライド部９を備える必要は無い。例えば、スライド部９を備えずに傾動部７を備えた卓上丸鋸、傾動部７を備えずにスライド部９を備えた卓上丸鋸、または、傾動部７とスライド部９のいずれも備えていない卓上丸鋸であってもよい。また、上述の実施形態では、コイルディスク４９を構成するコイル・コミュテータディスク６２の円板面上に軸５０を中心として放射状に配置された複数のコミュテータ片８２から構成されるコミュテータ８１が設けられ、コミュテータ８１に対してブラシ５６が軸５０方向（円板面と垂直）に接触している構成であった。しかし、コミュテータとブラシの構成はこのような構成に限られるものでは無い。例えば、図１５に示すように、コイル・コミュテータディスク６２のコミュテータ領域８０のコミュテータ８１の代わりにコイルディスク２４９の上面に出力軸２４４と同軸に延びる筒状のコミュテータ２８１を設けるとともに、このコミュテータ２８１に対して出力軸２４４の軸２５０と直交する方向から、ブラシ２５６を接触させる構成としても良い。
【００３４】
このようにコミュテータ２８１とブラシ２５６を構成した場合には、ブラシ２５６が出力軸２４４の軸２５０方向と直交してコミュテータ２８１に接触するので、コイルディスク２４９に面振れが発生しにくくなり、ブラシ２５６からコイルに確実に電流を供給することが可能となる。また、コミュテータ２８１の一つ一つのコミュテータ片を厚く形成することが容易になり、コミュテータ２８１の耐久性が向上し、卓上丸鋸１の寿命も長くすることが可能となる。
【００３５】
また、上述の実施形態ではいずれの場合も、コイルディスク４９が回転子の一部構成として回転し、磁石５２がハウジング４３に固定される固定子として構成された扁平モータ１５が用いられているが、本発明の卓上丸鋸１はこれに限定されるものではない。例えば、マグネットが出力軸４４と一体に回転する固定子を構成し、コイルディスクがハウジングに固定される固定子を構成する扁平ブラシレスモータを用いるものでも良い。さらに、コイルディスクは、必ずしもプリント配線板から構成されたコイルディスクを備える必要はなく、扁平かつ小型な形状を有する形状を構成することができれば、例えば、円板状に配列された複数のコイルから構成されたコイルディスクを備えるモータであっても良い。
【符号の説明】
【００３６】
１  卓上丸鋸
２  被加工部材
３  ベース部
４  テーブル回転軸
５  ターンテーブル
６  傾動軸
７  傾動部
８  スライド軸
９  スライド部
１２  揺動軸
１３  揺動部
１４  丸鋸刃
１５  扁平モータ
１８  動力伝達部
１９  切断部
４３  ハウジング
４４  出力軸
４９  コイルディスク
５２  磁石
５３  鉄ヨーク
５５  鉄ヨーク
５６  ブラシ
５７  中間ギヤ
５８  中間軸
１１０  平坦面
１１２  ロック部材
１１４  係合部
【図１】
0005413135.tif 000002
【図２】
0005413135.tif 000003
【図３】
0005413135.tif 000004
【図４】
0005413135.tif 000005
【図５】
0005413135.tif 000006
【図６】
0005413135.tif 000007
【図７】
0005413135.tif 000008
【図８】
0005413135.tif 000009
【図９】
0005413135.tif 000010
【図１０】
0005413135.tif 000011
【図１１】
0005413135.tif 000012
【図１２】
0005413135.tif 000013
【図１３】
0005413135.tif 000014
【図１４】
0005413135.tif 000015
【図１５】
0005413135.tif 000016